(57)【要約】【課題】  電池切れが生じることなく、これによって自動ドアを常に開閉操作することができる自動ドアの開閉操作装置を提供する。【解決手段】  本発明の無線式の開閉操作装置１は、ベランダ用自動ドアなどの自動ドア３の開閉を操作するようになっている。その開閉操作装置１は、自動ドア３の開閉を指示するための操作部２４と、操作部２４での指示内容を自動ドア３へ赤外線などを用いて無線送信する通信部２６と、当該開閉操作装置１を作動させるための電源２１とを有している。その電源２１は太陽電池で構成している。【選択図】  図１
2011166702.tif 000002
【特許請求の範囲】
【請求項１】
自動ドア（３）の開閉を操作する無線式の開閉操作装置であって、
前記自動ドア（３）の開閉を指示するための操作部（２４）と、その操作部（２４）での指示内容を前記自動ドア（３）へ無線送信する通信部（２６）と、開閉操作装置（１）を作動させるための電源（２１）とを有しており、
前記電源（２１）を太陽電池で構成していることを特徴とする自動ドアの開閉操作装置。
【請求項２】
前記操作部（２４）と前記通信部（２６）とを携帯可能なリモコン（１５）に配置しており、
前記リモコン（１５）を着脱自在に保持するホルダー（１６）を設けており、
前記ホルダー（１６）は、その裏側を壁面（１４）に取り付け可能になっており、
前記ホルダー（１６）の表面に前記太陽電池（２１）を配置しており、
前記リモコン（１５）に設けたリモコン側端子（２８・２９）と前記ホルダー（１６）に設けたホルダー側端子（３３・３４）とが接触することで、前記太陽電池（２１）と前記通信部（２６）とが電気的に接続されるようになっており、
前記リモコン（１５）には、前記ホルダー（１６）の太陽電池（２１）から供給される電力を蓄えるリモコン側充電手段（３０）を備えていることを特徴とする請求項１記載の自動ドアの開閉操作装置。
【請求項３】
前記ホルダー（１６）には、太陽電池（２１）で発電された電力を蓄えるホルダー側充電手段（３５）を備えており、
そのホルダー側充電手段（３５）で蓄えた電力を前記リモコン（１５）に供給するようになっていることを特徴とする請求項２記載の自動ドアの開閉操作装置。
【発明の詳細な説明】
【技術分野】
【０００１】
本発明は、自動ドアの開閉を操作するための開閉操作装置に関するものである。
【背景技術】
【０００２】
近年、バリアフリー化に関心が高まっており、それに応じてマンションや一般住宅などにおいて、例えばベランダ用のガラス引き戸の開閉を自動化することが提案されている（例えば特許文献１）。また、バリアフリー化のために自動式引き戸の開閉を無線式のリモコンで操作するものが提案されている（例えば特許文献２）。このように、自動式引き戸の開閉を無線式のリモコンで操作できるようにすると、引き戸の開閉操作を手元で行えて、例えば車椅子に乗った人でも引き戸の開閉を容易に行うことができるようになる。
【先行技術文献】
【特許文献】
【０００３】
【特許文献１】特開２０００−６４７１２号公報
【特許文献２】特開２００２−１４７１１６号公報
【発明の概要】
【発明が解決しようとする課題】
【０００４】
前記リモコンの電源としては、一般に乾電池を用いることになるが、電池切れが生じるとリモコンによる自動式引き戸の開閉操作ができなくなるといった問題点がある。その対策として乾電池を買い置きしておくことが望ましいが、その買い置きがあるか否かのチェックや前記電池切れ時の電池交換の手間が煩わしいことになる。
【０００５】
本発明は、かかる不都合を解決することを目的とするものであり、電池切れによって自動ドアの開閉操作ができなくなることを防止できる自動ドアの開閉操作装置を提供することにある。
【課題を解決するための手段】
【０００６】
本発明は、前記不都合を解決するものである。すなわち本発明は、自動ドア３の開閉を操作する無線式の開閉操作装置１において、自動ドア３の開閉を指示するための操作部２４と、操作部２４での指示内容を自動ドア３へ無線送信する通信部２６と、開閉操作装置１を作動させるための電源２１とを有しており、その電源２１を太陽電池で構成していることを特徴とするものである。ここでは、例えば、図１のように操作部２４と通信部２６とをリモコン１５に配置し、電源２１としての太陽電池をリモコン１５とは別体のホルダー１６に配置する場合や、図７のように操作部２４と通信部２６と電源（太陽電池）２１とを一つのリモコン１５に配置する場合とが含まれる。電源２１は、操作部２４と通信部２６との少なくとも一方に電力を供給するものであり、操作部２４および通信部２６以外に、開閉操作装置１に表示用のＬＥＤなどを配置する場合には、その電源として使用する場合も含まれる。無線送信としては、赤外線や超音波や電波などを用いた無線の通信手段が該当する。
【０００７】
前述の操作部２４と通信部２６とをリモコン１５に配置し、電源（太陽電池）２１をホルダー１６に配置する構成を具体的に説明すると、操作部２４と通信部２６とは携帯可能なリモコン１５に配置しており、ホルダー１６は、リモコン１５を着脱自在に保持するようになっている。ホルダー１６は、その裏側を壁面１４に取り付け可能になっており、ホルダー１６の表（おもて）面に太陽電池２１を配置している。リモコン１５に設けたリモコン側端子２８・２９とホルダー１６に設けたホルダー側端子３３・３４とが接触することで、太陽電池２１と通信部２６とが電気的に接続されるようになっている。リモコン１５には、ホルダー１６の太陽電池２１から供給される電力を蓄えるリモコン側充電手段３０を備えている。そのリモコン側充電手段３０としては、電気二重層キャパシタや二次電池などが含まれる。壁面１４には、自動ドア３の枠の面なども含まれる。
【０００８】
また、ホルダー１６には、太陽電池２１で発電された電力を蓄えるホルダー側充電手段３５を備え、そのホルダー側充電手段３５で蓄えた電力をリモコン１５に供給するようになっているものとすることができる。そのホルダー側充電手段３５としては、電気二重層キャパシタや二次電池などが含まれる。
【発明の効果】
【０００９】
本発明の自動ドアの開閉操作装置１は、太陽電池２１を電源としているために、例えば乾電池を電源としている場合のような電池切れが生じることがない。したがって電池切れのために開閉操作装置１によって自動ドア３を開閉操作することができなくなることを確実に防止することができる。また、電源として乾電池を用いないために電池交換の手間などを省略することができる。
【００１０】
開閉操作装置１を、例えば室内からベランダへの出入り口部に配置されるベランダ用自動ドア３に用いた場合には、当該開閉操作装置１は前記出入り口部の周辺で操作されると考えられる。その出入り口部の周辺には日光が直接または壁や床などで反射した日光が届くために、その日光によって太陽電池２１での太陽光発電を確実に行わせることができる。これによって乾電池を電源にしていなくても開閉操作装置１を確実に作動させることができる。なお、夜間などにおいては、室内照明によって太陽電池２１での発電を行わせて、開閉操作装置１を作動させることができる。
【００１１】
操作部２４と通信部２６とをリモコン１５に配置し、そのリモコン１５を着脱自在に保持するホルダー１６の表（おもて）面に太陽電池２１を配置すると、そのホルダー１６を、例えば日当たりのよい室内の壁面１４に取り付けることで、日光を直接または壁などで反射した日光を太陽電池２１に十分に浴びさせることができる。これにより、太陽電池２１での太陽光発電による電力を、ホルダー１６に保持したリモコン１５のリモコン側充電手段３０にしっかりと蓄えることができ、これによってリモコン１５を確実に作動させることができる。
【００１２】
加えて太陽電池２１を、リモコン１５とは別体のホルダー１６に配置したことで、リモコン１５の表面に太陽電池２１を配置するためのスペースを設けなくても済み、その分だけリモコン１５の小型化を図ることができる。また、ホルダー１６は壁面１４に取り付けられるために落下のおそれがなく、従って落下による太陽電池２１の破損を確実に防止することができる。
【００１３】
太陽電池２１の発電電力をホルダー１６のホルダー側充電手段３５で蓄えることで、リモコン１５をホルダー１６から取り出している間にホルダー側充電手段３５に太陽電池２１の発電電力を蓄えさせて、その電力をリモコン１５に供給することができる。
【図面の簡単な説明】
【００１４】
【図１】本発明に係る開閉操作装置および自動ドアの電気系の構成を示すブロック図である。
【図２】開閉操作装置の正面図である。
【図３】図２のＡ−Ａ線矢視断面図である。
【図４】本発明に係るリモコンの正面図である。
【図５】室内側から見た自動ドアの正面図である。
【図６】ホルダー側端子の動作を説明するための縦断面図である。
【図７】開閉操作装置の他の実施例の正面図である。
【発明を実施するための形態】
【００１５】
本発明に係る無線式の開閉操作装置１をベランダ用自動ドア３の開閉操作に用いた場合の実施例を図１ないし図６に基づいて説明する。ベランダ用自動ドア３は、図５に示すように、室内からベランダへの出入り口部に配置されている。
【００１６】
ベランダ用自動ドア３は、前記出入り口部に固定されるアルミニウム製の枠４と、二枚のガラス引き戸５・５と、一方のガラス引き戸５（例えば図５の右側のガラス引き戸）を開閉駆動する駆動部６とを有している。枠４は、左右の竪枠４ａ・４ａと、それらの竪枠４ａ・４ａの上端間に掛け渡された上枠（図示せず）と、竪枠４ａ・４ａの下端間に掛け渡された下枠４ｂとを矩形状に組み立てることで構成されている。上枠と下枠４ｃとには、レール（図示せず）がそれぞれ設けられており、各ガラス引き戸５が上下のレールに沿って左右方向にスライド移動可能になっている。
【００１７】
各ガラス引き戸５は、板ガラス７がアルミニウム製の矩形状の框８の中に取り付けられている。その框８は、左右の縦框８ａ・８ａと、その縦框８ａ・８ａの上端間に掛け渡された上框８ｂと、縦框８ａ・８ａの下端間に掛け渡された下框８ｃとで構成されている。両ガラス引き戸５・５の框８・８において前記出入り口部の中央に位置する縦框８ａ・８ａには、その室内側に鍵９を取り付けている。また、両ガラス引き戸５・５において前記出入り口部の左右の端部に位置する縦框８ａ・８ａには、その室内側および室外側に取っ手１０をそれぞれ取り付けている。
【００１８】
駆動部６は、前記上枠の室内側に設置されており、例えば、モータ１２や、そのモータ１２によって牽引操作されるワイヤや、そのワイヤが掛け渡される定滑車および動滑車などで構成されている。前記動滑車は一方のガラス引き戸５の上框８ｂに取り付けられており、これによってモータ１２の駆動に応じて一方のガラス引き戸５がスライド移動するようになっている。駆動部６はカバー１３で覆われている。他方のガラス引き戸５は、手動で開閉できるようになっている。なお、一方のガラス引き戸５は、緊急の場合に手動で開閉できるようになっている。
【００１９】
開閉操作装置１は、図２ないし図４に示すように、携帯可能なリモコン１５と、リモコン１５を着脱自在に保持するとともにリモコン１５に電力供給するホルダー１６とからなる。ホルダー１６の裏面には、両面テープ１７が配置されており、その両面テープ１７によって、例えばホルダー１６の裏側を室内の壁面１４の適所に取り付け可能になっている。なお、ホルダー１６は、ビスなどで壁面１４に取り付けることも可能である。
【００２０】
リモコン１５は扁平な直方体状に形成されており、その表（おもて）面（図３の左側）に、自動ドア３の一方のガラス引き戸５を開くための開ボタン１８と、一方のガラス引き戸５を閉じるための閉ボタン１９とを上下に並べて配置している。図４では、閉ボタン１９を開ボタン１８の下側に配置している。開ボタン１８と閉ボタン１９とは押しボタンで構成されている。
【００２１】
ホルダー１６は上下に長い直方形状に形成されており、ホルダー１６の表（おもて）面（図３の左側）の上部に太陽電池２１を配置している。太陽電池２１は、太陽光や室内照明の光を浴びることで電力を発電するものであり、その発電電力がリモコン１５に供給される。ホルダー１６の下部には、リモコン１５を収容保持するためのポケット部２２を形成している。
【００２２】
ポケット部２２は、その上面が開口する直方体状に形成されており、その上面開口からホルダー１６が差し入れられるようになっている。ポケット部２２の前壁２２ａの上端には、その左右方向（図２参照）の中央がＵ字状に切り欠かれており、リモコン１５をポケット部２２に保持した状態で閉ボタン１９を押すことができるようになっている。太陽電池２１は、図２に示すように、ポケット部２２に保持したリモコン１５によって前面が覆われない位置に配置されている。
【００２３】
次に、開閉操作装置１および駆動部６の電気系の構成について図１を用いて説明する。開閉操作装置１のリモコン１５は、前記の開ボタン１８と閉ボタン１９とからなって自動ドア３の開閉を指示するための操作部２４と、その操作部２４での指示内容に応じた赤外線の信号（無線信号）を赤外線発光素子２５から送出させる通信部２６と、その通信部２６や操作部２４へ電力を供給する給電部２７と、ホルダー１６と電気的に接続するためのリモコン側端子２８・２９とを有している。
【００２４】
給電部２７は、リモコン側端子２８・２９に接続されており、リモコン１５をポケット部２２に保持したときに、リモコン側端子２８・２９がホルダー１６の端子３３・３４に接触して電気的に接続されるようになっている。給電部２７には、電気二重層キャパシタ（リモコン側充電手段）３０を配置しており、ホルダー１６からリモコン１５へ供給された電力を電気二重層キャパシタ３０に蓄えることが可能になっている。
【００２５】
ホルダー１６から外されたリモコン１５は、電気二重層キャパシタ３０に蓄えた電力で作動するようになっている。給電部２７には、リモコン側端子２８・２９間が短絡した場合に過電流が流れることを防止するための保護回路を設けてある。
【００２６】
ホルダー１６は、過電流防止などのための給電制御部３２と、リモコン側端子２８・２９と電気的に接続するためのホルダー側端子３３・３４とを有している。給電制御部３２には、電気二重層キャパシタ（ホルダー側充電手段）３５が接続されており、太陽電池２１で発電された電力を蓄えることができるようになっている。
【００２７】
各ホルダー側端子３３・３４は、図３および図６に示すように、ポケット部２２の後壁２２ｂの下部に配置されている。各ホルダー側端子３３・３４は、上下方向に延びる導電性のバネ材からなり、図６に示すように、その下端部をポケット部２２の後壁２２ｂに固定している。各ホルダー側端子３３・３４の上下方向の中間部３７は前側に湾曲しており、その中間部３７は、ポケット部２２の後壁２２ｂに設けた開口３８を介してポケット部２２内に入り込んでいる。
【００２８】
そして、リモコン１５をポケット部２２に保持したときには、そのリモコン１５がホルダー側端子３３・３４の中間部３７に当たって、その中間部３７を後方へ押すようになっている（図６の仮想線参照）。その中間部３７の後方への移動に伴って、各ホルダー側端子３３・３４の上端が、給電制御部３２から導出された正負の接点３９にそれぞれ接触する。これにより、給電制御部３２とリモコン側端子２８・２９とが、ホルダー側端子３３・３４を介して電気的に接続される。
【００２９】
リモコン１５をポケット部２２から取り出したときには、各ホルダー側端子３３・３４の弾性力で中間部３７が前方位置へ復帰して、各ホルダー側端子３３・３４の上端が接点３９からそれぞれ離れる。これによってホルダー側端子３３・３４と給電制御部３２との接続が解除される。このように、リモコン１５をホルダー１６のポケット部２２に保持していないときには、各ホルダー側端子３３・３４と給電制御部３２とが接続されないために、例えばいたずらでホルダー側端子３３・３４どうしが短絡された場合でも、その短絡によって給電制御部３２や太陽電池２１が故障することが防止される。
【００３０】
なお、リモコン側端子２８・２９をホルダー側端子３３・３４と同様の形状にして、リモコン１５をポケット部２２に保持したときに、各リモコン側端子２８・２９の上端が、給電部２７から導出された正負の接点にそれぞれ接触するように構成してもよい。
【００３１】
駆動部６は、図１に示すように、リモコン１５から送出された赤外線の信号を赤外線受光素子４１で受光（受信）することで、当該信号を自動ドア３の開閉を指示する開閉指示信号に変換して出力する通信部４２と、その通信部４２からの開閉指示信号に応じてモータ１２を駆動するモータ制御部４３とを有している。開閉指示信号には、自動ドア３を開かせる開信号と、自動ドア３を閉じさせる閉信号とを含んでいる。そして、リモコン１５の開ボタン１８を押すと自動ドア３の一方のガラス引き戸５が開き、閉ボタン１９を押すと一方のガラス引き戸５が閉じられるようになっている。
【００３２】
駆動部６は、例えばリモコン１５の開ボタン１８が指などで押されているときだけ一方のガラス引き戸５を開き、開ボタン１８から指などを離すと一方のガラス引き戸５を停止させるようになっている。駆動部６は、一方のガラス引き戸５が全開位置または全閉位置になると、ボタン１８・１９が押されていても一方のガラス引き戸５を駆動しないようになっている。
【００３３】
このように、リモコン１５は、太陽電池２１を電源としているために、例えば乾電池を電源としている場合のような電池切れが生じることがない。また、リモコン１５をホルダー１６から取り出している間に、ホルダー１６の電気二重層キャパシタ３５に太陽電池２１の発電電力を蓄えさせて、その電力をリモコン１５に供給することができる。
【００３４】
前記実施例では、太陽電池２１をホルダー１６に設けたが、太陽電池２１をホルダー１６と別体に構成して、例えば太陽電池２１とホルダー１６とをケーブルで電気的に接続してもよい。
【００３５】
また、例えば図７に示すように、太陽電池２１をリモコン１５に設けてもよい。その場合、端子２８・２９・３３・３４やホルダー１６の給電制御部３２を省略することができる。具体的には、ホルダー１６からは太陽電池２１、給電制御部３２およびホルダー側端子３３・３４が省略されることになり、ホルダー１６は、そのポケット部２２にリモコン１５を収容保持するためのみに用いられることになる。なお、図７ではリモコン１５は、開ボタン１８と閉ボタン１９とを左右に並べて配置しており、それらのボタン１８・１９の下側に太陽電池２１を配置している。
【００３６】
前記説明では、リモコン１５と駆動部６との無線通信を赤外線で行ったが、その無線通信を超音波や電波などを用いて行ってもよい。駆動部６の電源として太陽電池を用いてもよい。その場合、駆動部６用の太陽電池をガラス引き戸５や枠４などに配置することになる。駆動部６は、リモコン１５の開ボタン１８が押されると一方のガラス引き戸５が全開になるまでモータ１２を駆動するように構成してもよい。
【００３７】
なお、リモコン１５をポケット部２２から長時間取り出したことで、リモコン１５の電気二重層キャパシタ３０に蓄えた電力が不足してリモコン１５を適正に作動できなくなった場合に、その旨を警告するためのＬＥＤなどをリモコン１５に設けてもよい。ホルダー１６は、電気二重層キャパシタ３５を省略してもよく、また給電制御部３２を省略して太陽電池２１をホルダー側端子３３・３４に直結してもよい。
【００３８】
前記実施例では、開閉操作装置１をベランダ用自動ドア３の開閉操作に用いたが、本発明の開閉操作装置１は、ベランダ用自動ドア以外、例えば玄関や室内から廊下への出入り口に配置される自動ドアの開閉操作に用いてもよい。
【符号の説明】
【００３９】
１  開閉操作装置
３  自動ドア
６  駆動部
１４  壁面
１５  リモコン
１６  ホルダー
２１  太陽電池
２４  操作部
２６  通信部
２８・２９  リモコン側端子
３０・３５  電気二重層キャパシタ
３３・３４  ホルダー側端子
【図１】
2011166702.tif 000003
【図２】
2011166702.tif 000004
【図３】
2011166702.tif 000005
【図４】
2011166702.tif 000006
【図５】
2011166702.tif 000007
【図６】
2011166702.tif 000008
【図７】
2011166702.tif 000009